(57)【要約】【課題】  楽な着け心地でありながら、バストを脇部から造形可能であり、かつ、着くずれのしにくいカップ部を有する衣類を提供することを目的とする。【解決手段】  一対のカップ部１１Ａ、土台部１１Ｂ、一対のバック部１３および一対の肩ストラップ１４を含み、一対のカップ部１１Ａおよび土台部１１Ｂは、一体となって一体部材１２を形成しており、肩ストラップ１４の一端はカップ部１１Ａの上部に取り付けられており、バック部１３は、一体部材１２の少なくとも脇側を覆うように、肩ストラップ１４の取付け位置と土台部１１Ｂの下辺とで一体部材１２に取り付けられて、一体部材１２の脇側に延在しており、肩ストラップ１４の他端はバック部１３の背中側に取り付けられていることを特徴とする。【選択図】  図１
2020180407.tif 000002
【特許請求の範囲】
【請求項１】
カップ部を有する衣類であって、
一対のカップ部、土台部、一対のバック部および一対の肩ストラップを含み、
前記カップ部および前記土台部は、一体となって一体部材を形成しており、
前記肩ストラップの一端は前記カップ部の上部に取り付けられており、
前記バック部は、前記一体部材の少なくとも脇側を覆うように、前記肩ストラップの取付け位置と前記土台部の下辺とで前記一体部材に取り付けられて、前記一体部材の脇側に延在しており、
前記肩ストラップの他端は前記バック部の背中側に取り付けられていることを特徴とするカップ部を有する衣類。
【請求項２】
前記バック部は、前記一体部材の脇辺と連結されている、請求項１記載のカップ部を有する衣類。
【請求項３】
前記バック部の上辺は、前記一体部材の脇上辺よりも上方に位置する、請求項１または２記載のカップ部を有する衣類。
【請求項４】
前記カップ部の最下点の下方位置から前記バック部の後側端部まで延在する、バック補助部をさらに有し、
前記バック補助部の下辺は、前記バック部の下辺と連結され、
前記バック補助部の上辺は、前記バック部の上辺と互いに遊離可能となっており、
前記バック補助部は、前記カップ部の最下点の下方位置から脇側に向かい、垂直方向の長さが徐々に長くなっており、
前記バック補助部の脇側上端部は、前記肩ストラップの背中側と連結されており、
前記肩ストラップとの前記連結位置において、前記バック補助部の垂直方向の長さは、前記バック部の垂直方向の長さよりも長くなっている、
請求項１から３のいずれか一項に記載のカップ部を有する衣類。
【請求項５】
前記一体部材が表布を有しており、
前記バック部は、前中心側において、前記表布と連結されている、請求項１から４のいずれか一項に記載のカップ部を有する衣類。
【請求項６】
前記バック部は、前記一体部材の表側全面を覆っている、請求項１から４のいずれか一項に記載のカップ部を有する衣類。
【請求項７】
衣類がブラジャーである、請求項１から６のいずれか一項に記載のカップ部を有する衣類。
【発明の詳細な説明】
【技術分野】
【０００１】
本発明は、カップ部を有する衣類に関するものである。
【背景技術】
【０００２】
従来、カップ部を有する衣類、例えば、ブラジャーでは、身体のラインをきれいに見せるため、パッドを用いたり、サポート部材を設けて、バストの形状を補整する方法が提案されてきた。近年では、着用時のバストの脇部を寄せて造形するための方法として、バストの造形性は高めつつ、過度の圧迫を加えない良好な着用感を両立させる検討がなされている。例えば、カップ部の脇部寄りに、所定の張力を有するように当て布等を設けることで、バストにフィットしながら、バストの脇部を局部的に圧迫することなく、バストを脇方向から面状にかつソフトに寄せるバストの補整機能を備えた衣類が提案されている（例えば、特許文献１参照）。
【先行技術文献】
【特許文献】
【０００３】
【特許文献１】特開平１０−２５１９０４号公報
【発明の概要】
【発明が解決しようとする課題】
【０００４】
しかし、前記の当て布等のサポート部材を設けると、前記サポート部材と他の部分との結合部（境界部）において締め付けが強くなり、着け心地が低下する場合がある。また、部分的に締め付けの強い部分が存在すると、運動追従性が低下して着くずれが発生しやすくなることがある。
【０００５】
本発明は、楽な着け心地でありながら、バストを脇部から造形可能であり、かつ、着くずれのしにくいカップ部を有する衣類を提供することを目的とする。
【課題を解決するための手段】
【０００６】
前記目的を達成するために、本発明のカップ部を有する衣類は、
カップ部を有する衣類であって、
一対のカップ部、土台部、一対のバック部および一対の肩ストラップを含み、
前記カップ部および前記土台部は、一体となって一体部材を形成しており、
前記肩ストラップの一端は前記カップ部の上部に取り付けられており、
前記バック部は、前記一体部材の少なくとも脇側を覆うように、前記肩ストラップの取付け位置と前記土台部の下辺とで前記一体部材に取り付けられて、前記一体部材の脇側に延在しており、
前記肩ストラップの他端は前記バック部の背中側に取り付けられていることを特徴とする。
【発明の効果】
【０００７】
本発明によれば、楽な着け心地でありながら、バストを脇部から造形可能であり、かつ、着くずれのしにくいカップ部を有する衣類を提供することができる。
【図面の簡単な説明】
【０００８】
【図１】図１は、本発明のカップ部を有する衣類の一例である第一の実施形態に係るブラジャー１００の、平置きした状態の正面図である。
【図２】図２は、前記第一の実施形態に係るブラジャー１００を、平置きして肌側から見た状態の正面図である。
【図３】図３は、本発明のカップ部を有する衣類の他の例である、第二の実施形態に係るブラジャー２００の、平置きした状態の正面図である。
【図４】図４は、前記第二の実施形態に係るブラジャー２００を着用した状態を、左前から見た図である。
【図５】図５は、本発明のカップ部を有する衣類のさらにその他の例である、第三の実施形態に係るブラジャー３００の、平置きした状態の正面図である。
【発明を実施するための形態】
【０００９】
本発明のカップ部を有する衣類において、前記バック部は、前記一体部材の脇辺と連結されていることが好ましい。
【００１０】
本発明のカップ部を有する衣類において、前記バック部の上辺は、前記一体部材の脇上辺よりも上方に位置することが好ましい。
【００１１】
本発明のカップ部を有する衣類は、前記カップ部の最下点の下方位置から前記バック部の後側端部まで延在する、バック補助部をさらに有し、前記バック補助部の下辺は、前記バック部の下辺と連結され、前記バック補助部の上辺は、前記バック部の上辺と互いに遊離可能となっており、前記バック補助部は、前記カップ部の最下点の下方位置から脇側に向かい、垂直方向の長さが徐々に長くなっており、前記バック補助部の脇側上端部は、前記肩ストラップの背中側と連結されており、前記肩ストラップとの前記連結位置において、前記バック補助部の垂直方向の長さは、前記バック部の垂直方向の長さよりも長くなっていることが好ましい。
【００１２】
本発明のカップ部を有する衣類は、前記一体部材が表布を有しており、前記バック部は、前中心側において、前記表布と連結されていてもよい。
【００１３】
本発明のカップ部を有する衣類において、前記バック部は、前記一体部材の表側全面を覆っていてもよい。
【００１４】
本発明のカップ部を有する衣類は、ブラジャーであることが好ましい。
【００１５】
本発明のカップ部を有する衣類について、例をあげて説明する。ただし、本発明は、以下の例に限定および制限されない。なお、以下で参照する図面は、模式的に記載されたものであり、図面に描画された物体の寸法の比率などは、現実の物体の寸法の比率などとは異なる場合がある。図面相互間においても、物体の寸法比率等が異なる場合がある。
【００１６】
（第１の実施形態）
図１に、本発明のカップ部を有する衣類の一例である第一の実施形態に係るブラジャー１００を示す。図１は、本実施形態のブラジャー１００を平置きした状態の正面図である。また、図２は、ブラジャー１００を、平置きして肌側（着用時に肌に当接する側）から見た状態の正面図である。以下、図面の記載においては、同一または類似の部分には、同一または類似の符号を付している。
【００１７】
本実施形態のブラジャー１００は、一対のカップ部１１Ａ、土台部１１Ｂ、一対のバック部１３および一対の肩ストラップ１４を備えたノンワイヤータイプのブラジャーである。カップ部１１Ａと土台部１１Ｂとは、一体成型されて一体部材１２を形成している。本実施形態においては、左右それぞれに一体部材１２が形成されて、土台部１１Ｂの前中心部分同士で連結することで、左右のカップ部１１Ａが連結されている。一体部材１２は、カップ部１１Ａの下縁部から脇側縁部の範囲の外周に、土台部１１Ｂが設けられて一体成型されている。土台部１１Ｂは、バストと胴体との境界線であるバージスラインに沿うように形成されている。一体部材１２としては、例えば、ポリウレタンフォームによるモールド成型部材を用いることができる。一対のカップ部１１Ａの上部には、各々、肩ストラップ１４の一端が取り付けられている。
【００１８】
本発明においては、バック部１３は、一体部材１２の脇側を覆うようにして、一体部材１２に取り付けられ、一体部材１２の脇側（着用時における脇から背中側）に延在している。バック部１３は、カップ部１１Ａ上部の肩ストラップ１４取付け位置と、土台部１１Ｂの下辺とで、一体部材１２に取り付けられている。一方、バック部１３の前側辺１３Ａおよび上辺１３Ｂにおいては、一体部材１２とは縫着等はされておらず、遊離した状態となっている。バック部１３の後側端（着用時における背中側の端部）には、連結係止部１７Ａ、１７Ｂが取り付けられて、背中心付近で着脱自在になっている。そして、肩ストラップ１４の他端はバック部１３の背中側に取り付けられている。このように、一体部材１２の脇側から連結係止部１７Ａ、１７Ｂまでを、一枚の生地のバック部１３とし、バック部１３で一体部材１２の脇側を押さえるとともに、後方（背中側）に引く力がかかるため、楽な着け心地でありながら、脇側をすっきりさせてバストを造形し、カップ部１１Ａ（一体部材１２）を身体にフィットさせてサイズ融通性を持たせることができる。そのため、衣類のサイズ設定において境界サイズに該当する着用者においても、バストボリュームのサポートを良好に行い、着崩れ等を防ぐことが可能である。ここで、境界サイズとは、各サイズ区分で想定されている寸法範囲のうち上限近傍または下限近傍に位置する寸法を意味している。
【００１９】
なお、一体部材１２の脇上辺１２Ｂが、バック部１３に縫い付けられていないことで、より着くずれしにくくなるという効果が得られる。ブラジャー着用時の身体およびブラジャーの動きについて腕の上げ下ろしでの挙動を解析したところ、着くずれのメカニズムは次のとおりであることがわかった。挙手時（腕上げ時）には、バストボリュームとバージスラインが移動する。このとき、バストボリュームの移動量の方が、バージスラインの移動量より多い。一体部材１２の脇上辺１２Ｂとバック部１３とが縫着されたブラジャーを着用した場合、腕の上げ下ろしによってバストボリュームが前方（前中心側方向）や上方に移動するのに合わせて、カップ部１１Ａ上辺が倒れこみ、カップ部１１Ａの上辺がくい込むとともに、脇上辺１２Ｂおよび前中心の下辺が浮く（身体から離れる）。挙手時にカップ部１１Ａが前側（前中心側）に移動するが、腕の上げ下ろし終了後にも、前記移動位置に移動したままで、当初の位置には戻らない（ずれの発生）。同じく、バック部もカップ部の移動に伴い前側に移動し、当初の位置には戻らないため、脇部分においてブラジャーからの肉のはみ出しが生じる。特にバスト底面に対して突出量の大きいバストの場合、バストボリュームの移動量が多く、ずれが大きく発生しやすくなる。
【００２０】
上記着くずれは、一体部材１２の脇上辺１２Ｂをバック部１３に縫い付けないことにより、抑制できることを見出した。脇上辺１２Ｂがバック部１３に固定されていないことで、挙手時にはカップ部１１Ａが上下方向に伸びる（カップ部１１Ａが平面状に開く）ためバストボリュームの移動（変形）に対応でき、カップ部１１Ａは前中心方向には移動しないため、バストに食い込まず、バストボリュームの移動にバック部１３が引っ張られないので着くずれしにくくなる。
【００２１】
本実施形態においては、バック部１３は、一体部材１２の脇辺１２Ａと連結（縫着）されている。楽な着け心地を得るために、本発明におけるバック部１３は、緊締力の強くない素材を用いることが好ましいが、その場合、着用時に一体部材が身体から浮く（離れる）ことによるフィット性の低下の可能性がある。特に、バストのボリュームが大きい着用者の場合、バストが脇側に流れてカップ部１１Ａの外に出ようとする力が強く働きやすい。このとき、土台部１１Ｂが持ち上がるとともに一体部材１２が外側に倒れる方向に力が働く。そこで、図２に示すように、バック部１３と一体部材１２の脇辺１２Ａとを連結したところ、着用時に一体部材が身体から浮く（離れる）ことによるフィット性の低下を抑えて、良好なフィット性が得られ、バストの脇側への流れを抑制できることが判明した。このように、フィット性の向上およびバストの脇側への流れの抑制のためには、バック部１３と、一体部材１２の脇辺１２Ａとを連結（縫着）することが好ましい。
【００２２】
また、本実施形態においては、バック部１３の上辺１３Ｂは、一体部材１２の脇上辺１２Ｂよりも上方に位置するように形成されている。脇上辺１２Ｂよりも上方までバック部１３が設けられていることで、着用時の脇部分における肉のはみ出しをカバーし、きれいな着用ラインを得ることができる。
【００２３】
バック部１３としては、伸縮性のある経編地や緯編地であればよく、例えば、ツーウェイラッセル、ベアスムース、ストレッチラッセルレース、チュールパワーネットおよびツーウェイトリコット等を用いることができる。
【００２４】
バック部１３は、特に上辺１３Ｂにおいて、折り返して縫製するなどの端始末を必要としない端部となっていることが、着用時の段差の発生の防止や、運動追従性、肌触りの点から好ましい。バック部１３の生地として、例えば、生地端始末不要なフラット素材やヘム素材を用いると、端始末の縫製が不要である。また、部分的に、端始末不要な生地を使うことで、肌あたりやデザインなどを調整することができる。
【００２５】
本実施形態のブラジャーでは、連結係止部１７Ａ、１７Ｂとして、ホック（例えば、フック・アンド・アイ（鈎ホック））を使用することができるが、他の種類の係止具を使用してもよい。また、バック部１３が連結係止部を有していなくてもよい。例えば、連結係止部を前中心に設けてフロントホックタイプとしてもよい。また、連結係止部がないタイプ、バック部を結んで係止するタイプであってもよい。連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２６】
本実施形態においては、肩ストラップ１４の一端はカップ部１１Ａに取り付けられ、肩ストラップ１４の他端はバック部１３の背中側の上辺部に取り付けられる。取付けの際には、例えば、円環係止具１８Ａとエイト環１８Ｂからなる長さ調節具とを導入して、肩ストラップ１４の長さを調整可能とすることができる。肩ストラップ１４は、カップ部１１Ａを肩から吊り下げるものであればよい。例えば、肩ストラップ１４は、紐や布テープであってもよいし、タンクトップのような幅の広いストラップであってもよい。肩ストラップ１４の態様は一対のカップ部１１Ａに対応して一対の肩ストラップ１４を、それぞれカップ部１１Ａ上部とバック部１３の背中側とに取り付ける態様に限定されず、例えば、スポーツタイプのブラジャーの肩ストラップのように、背中側で２本の肩ストラップ１４が一体となりバック部１３に取り付けられる態様であってもよい。
【００２７】
なお、本実施形態では、ブラジャー１００は、左右に分離した一体成型された一体部材１２を備え、一対の土台部１１Ｂの前中心部分同士で連結することで、左右のカップ部１１Ａが連結されている例を挙げて説明した。しかし、本発明は、これに限定されるものではない。本発明は、例えば、左右が一体成型された一体部材を備えたタイプのブラジャーとしてもよい。なお、本発明は、フロントホックのブラジャーにも適用できる。
【００２８】
本発明において、一体部材１２としては、カップ部１１Ａと土台部１１Ｂとが一体成型された部材であってもよいし、カップ部１１Ａと土台部１１Ｂとを縫着等によって結合して一体とした部材であってもよい。一体成型された部材としては、可撓性を有するポリウレタンフォーム、不織布、あるいはポリウレタンなどの高弾性糸から編成された厚手シート状の素材（ダンボールニット、ダブルラッセル）等を使用することができるが、成型性、耐久性等の点からポリウレタンフォーム、不織布が好ましい。また、カップ部１１Ａと土台部１１Ｂとを縫着等によって結合して一体とした部材としては、例えば、成型されたポリウレタンフォームや不織布、立体縫製されたポリウレタンシート、不織布やダブルラッセルによるカップ部１１Ａと、例えば、ポリウレタンシート、不織布やダブルラッセルの土台部１１Ｂとを縫着等により結合したものを用いることができる。一体部材１２の大きさや厚みは、着用による体型の補整といった目的や、カップ部を有する衣類のデザインに応じて設計可能であり、例えば、下バージスラインとバストトップとの間の脇側領域を厚く、周辺に向かうにしたがって薄くなるように形成してもよい。一体部材１２のカップ部１１Ａと土台部１１Ｂとの境界は、バージスラインに沿うように形成するとよい。
【００２９】
（第二の実施形態）
図３および図４に、本発明のカップ部を有する衣類の第二の実施形態に係るブラジャー２００を示す。図３は、本実施形態のブラジャー２００を平置きした状態の正面図である。また、図４は、本実施形態に係るブラジャー２００を着用した状態を、左前から見た図である。本実施形態のブラジャー２００は、一体部材１２が表布２６を有しており、バック部２３が前中心側において、表布２６と連結されており、さらにバック補助部２５を有している他は、第一の実施形態と同様の構成であるノンワイヤータイプのブラジャーである。表布２６の回復力（緊迫力）は、バック部２３の回復力よりも小さい方が好ましい。これによってカップ部のバストのボリューム移動（変形）に追随しやすくなる。表布２６としては、ストレッチ素材を使用することができ、ストレッチラッセルレース等を好ましく用いることができる。
【００３０】
バック補助部２５は、カップ部１１Ａの最下点の下方位置からバック部２３の後側端部の連結係止部１７Ａ、１７Ｂまで延在しており、カップ部１１Ａの最下点の下方位置から脇側に向かい、垂直方向の長さが徐々に長くなっている。本実施形態では、バック部２３の後側端部は、連結係止部１７Ａ、１７Ｂの箇所を指すが、例えばフロントホックタイプ等のバック部がつながった形状の場合には、バック部の後側端部とは、背中心付近の位置を指す。カップ部１１Ａの最下点の下方位置とは、カップくりのラインの最下点の下方の、土台部１１Ｂ下辺上の点を指すが、厳密なものではなく、前記点の付近の位置であってよい。バック補助部２５の下辺は、バック部２３の下辺と連結されているが、バック補助部２５の上辺は、バック部２３の上辺とは連結されておらず、互いに遊離可能となっている。バック補助部２５の脇側上端部は、肩ストラップ１４の背中側と連結されており、肩ストラップ１４との背中側の連結位置において、バック補助部２５の垂直方向の長さは、バック部２３の垂直方向の長さよりも長くなっている。
【００３１】
本実施形態において、バック部２３は、バック補助部２５よりも肌側（内側）に設けられている。バック部２３は、バック補助部２５よりも広い面積を有しており、バック部２３を肌側に配置することによって、より均質な着圧で、バック部２３が当接する皮膚を緊締することができる。
【００３２】
また、バック補助部２５は、肩ストラップ１４との背中側の連結位置付近において、広い面積を取ることができ、背中における着用時のスムージングを行うことができる。バック部２３のみを用いて背中側で広い面積を確保しようとすると、一体部材１２の脇側押さえるための力がかかりにくくなってしまうが、バック補助部２５を備えることにより、脇押さえ（脇の部分の良好なフィット感）と背中のスムージングの両立を図ることも可能となる。このように、さらにバック補助部２５を設けることにより、身体の動きに対する追随性を良くすることができ、ずれにくくなり、楽な着け心地で、ブラジャーを安定させることができる。
【００３３】
本実施形態のブラジャー２００は、一体部材１２が表布２６を有している。表布を設けることで、意匠性を向上させ、デザインの幅を広げることもできる。本実施形態では、表布２６は、一体部材１２がバック部２３で覆われていない箇所に設けられており。表布２６とバック部２３とは、バック部２３の前中心側（一体部材１２上）で、連結（縫着）されている。バック部２３は、カップ部１１Ａ上部の肩ストラップ１４取付け位置と、土台部１１Ｂの下辺とで、一体部材１２に取り付けられ、前中心側では一体部材１２から遊離しているので、ブラジャー２００では、表布２６は一体部材１２の周縁部以外では一体部材１２とは連結されていない。本発明はこれに限定されず、表布を一体部材の全面を覆うように設け、ブラジャー１００と同様にバック部を前側辺１３Ａで一体部材から遊離させて設けてもよい。この場合、バック部は表布と連結されない。
【００３４】
（第三の実施形態）
図５に、本発明のカップ部を有する衣類の第三の実施形態に係るブラジャー３００を示す。図５は、本実施形態のブラジャー３００を平置きした状態の正面図である。本実施形態のブラジャー３００は、バック部３３が一体部材１２の表側全面を覆っている他は、第二の実施形態と同様の構成であるノンワイヤータイプのブラジャーである。
【００３５】
バック部３３は、一体部材１２の表面全体を覆うが、一体部材１２の脇側におけるバック部の取付け箇所は、カップ部１１Ａ上部の肩ストラップ１４取付け位置および、土台部１１Ｂの下辺であり、その他の部分（例えば、第一の実施形態におけるバック部１３の前側辺１３Ａに相当する位置および上辺３３Ｂ）においては、一体部材１２とは縫着などはされておらず、遊離した状態となっている。本実施形態のブラジャー３００も、実施形態２と同様の効果を得ることができる。
【００３６】
以上のように、本発明のブラジャーは、楽な着け心地でありながら、バストを脇部から造形可能であり、かつ、着くずれもしにくいものである。
【００３７】
以上、実施の形態の具体例として、ブラジャーをあげて本発明を説明したが、本発明のカップ部を有する衣類は、これらの具体例で記載されたもののみに限定されるものではなく、種々の態様が可能である。例えば、上記の実施形態のような衣類以外にも、身頃部を設けてブラキャミソール、ボディースーツ、ブラスリップ、水着、レオタード、その他各種のカップ部を有する衣類に適用できる。
【産業上の利用可能性】
【００３８】
本発明のカップ部を有する衣類は、種々の態様が可能である。例えば、上記の実施形態のような衣類以外にも、ファンデーション衣類、スポーツ衣類、アウターなど、各種のカップ部を有する衣類に適用できる。
【符号の説明】
【００３９】
１００、２００、３００  ブラジャー
１１Ａ  カップ部
１１Ｂ  土台部
１２  一体部材
１２Ａ  一体部材の脇辺
１２Ｂ  一体部材の脇上辺
１３、２３、３３  バック部
１３Ａ  バック部の前側辺
１３Ｂ、３３Ｂ  バック部の上辺
１４  肩ストラップ
１７Ａ、１７Ｂ  連結係止部
１８Ａ  円環係止具
１８Ｂ  長さ調節具
２５  バック補助部
２６  表布
【図１】
2020180407.tif 000003
【図２】
2020180407.tif 000004
【図３】
2020180407.tif 000005
【図４】
2020180407.tif 000006
【図５】
2020180407.tif 000007